(57)【特許請求の範囲】
【請求項１】
断面の縦横の長さが異なるダクトの端部を嵌め込んで接続するための複数の接続部を有した略筒状をしたダクト接続部材であって、上記接続部の縦横の長さが同じ長さで且つ上記ダクトの断面の縦横の長さのうち長い方の長さと同じ長さとなっており、上記複数の接続部を有する略筒状をしたダクト接続部材が、底面部と天面部と一対の側面部との４面からなり且つ４面のうちの少なくとの１つ以上の面が壁面や天井面等の取付け基面への取付け部となった周壁部を有し、該周壁部を底面部と一方の側面部とよりなる後部材と、天面部と他方の側面部とよりなる前部材とに２分割し、後部材の底面部と前部材の他方の側面部とのなす角部分及び後部材の一方の側面部と前部材の天面部とのなす角部分で前部材と後部材とを着脱自在に接続して成ることを特徴とするダクト接続部材。
【発明の詳細な説明】
【０００１】
【発明の属する技術分野】
本発明は、ダクトの端部を嵌め込んで接続するためのダクト接続部材に関するものである。
【０００２】
【従来の技術】
従来からエアコンの配管あるいは配線等をカバーするためのダクト１はダクト接続部材３により接続してある。ダクト接続部材３は略筒状をしていて底面部と天面部と一対の側面部とからなる周壁部を有しているが、一対の側面部の略中央部分において前後に前部材６と後部材５とに２分割してあり、前部材６と後部材５とは一対の側面部の略中央部分で着脱自在に接続していた。
【０００３】
このため、従来にあっては、図１２に示すように施工した場合、正面の中央部や側面部の中央部に前部材６と後部材５との嵌合等による接続部が露出して外観が悪いという問題があった。また、従来にあっては、後部材５の側面半部２０を壁面や天井面等の取付け基面１１に取付け、更にダクト１の端部を後部材５の端部内に嵌め込んで取付け、その後に前部材６を後部材５に接続するのであるが、図１３のように壁面や天井面等の取付け基面１１に固定している後部材５の側面半部２０への前部材６の側面半部の係止等により接続に当たっては、ダクト１と取付け基面１１との間のわずかな隙間から前部材６の側面半部２０を差し込んで接続作業を行わなければならず、接続作業がし難く、作業性が悪いという問題があった。また、従来にあっては、図１３のように壁面や天井面等の取付け基面１１に固定している後部材５の側面半部２０を固着具により取付ける場合、他方の側面半部２０が邪魔になって固着具の取付け作業の支障となり、このため、他方の側面半部２０を切欠する等の特別の加工を必要とするという問題があった。
【０００４】
【発明が解決しようとする課題】
本発明は上記の点に鑑みてなされたものであり、壁面や天井面等の取付け基面への前部材又は後部材の取付けが容易に行え、また、前部材と後部材との接続部が目立ちにくくて外観がよく、また、前部材と後部材との接続が簡単に行えるダクト接続部材を提供することを課題とするものである。
【０００５】
【課題を解決するための手段】
上記課題を解決するために本発明に係るダクト接続部材は、断面の縦横の長さが異なるダクト１の端部を嵌め込んで接続するための複数の接続部３を有した略筒状をしたダクト接続部材２であって、上記接続部３の縦横の長さが同じ長さで且つ上記ダクト１の断面の縦横の長さのうち長い方の長さと同じ長さとなっており、上記複数の接続部３を有する略筒状をしたダクト接続部材２が、底面部と天面部と一対の側面部との４面からなり且つ４面のうちの少なくとも１つ以上の面が壁面や天井面等の取付け基面への取付け部となった周壁部を有し、該周壁部を底面部２ａと一方の側面部２ｃとよりなる後部材５と、天面部２ｂと他方の側面部２ｄとよりなる前部材６とに２分割し、後部材５の底面部２ａと前部材６の他方の側面部２ｄとのなす角部分及び後部材５の一方の側面部２ｃと前部材６の天面部２ｂとのなす角部分で前部材６と後部材５とを着脱自在に接続して成ることを特徴とするものである。このような構成とすることで、ダクト接続部材２に設けた複数の接続部３に、断面の縦横の長さが異なるダクト１を断面が縦向き又は横向きのいずれの場合であっても接続することができ、また、前部材６と後部材５との接続部が正面の中央部あるいは側面の中央部ではなく、角部分に存在することになって目立ちにくくなるものであり、また、周壁部を構成する４面のうちの少なくとも１つ以上の面を壁面や天井面等の取付け基面１１への取付け部７としてあるので、取付け部７を壁面や天井面等の取付け基面１１に当てて後部材５又は前部材６を取付け基面１１に取付けることができるものであり、しかも、この場合、前部材６又は後部材５が断面Ｌ字状をしているので、取付け基面１１に一片を取付ける際に他片に邪魔されることなく取付けることができるものであり、更に、２面以上が取付け部となっていると、配置場所に応じて後部材５又は前部材６を壁面や天井面に選択的に取付けることが可能となるものであり、そして、後部材５又は前部材６を取付け基面１１に取付けた状態において、後部材５の底面部２ａと前部材６の他方の側面部２ｄとのなす角部分及び後部材５の一方の側面部２ｃと前部材６の天面部２ｂとのなす角部分で前部材６と後部材５とを着脱自在に接続できて、簡単に接続することができることになる。
【０００６】
【発明の実施の形態】
以下、本発明を添付図面に示す実施形態に基づいて説明する。
【０００７】
添付図面に示す実施形態においてはエアコン等の配管や配線を保護するためのダクト（化粧カバー）１を接続するダクト接続部材２の例を示している。
【０００８】
ダクト１はＰＶＣやＡＢＳ等の合成樹脂により形成してあり、断面の縦横の長さが異なる（図２においてＭを縦方向の長さ、Ｎを横方向の長さとすると、Ｎ＞Ｍとなっている）形状をしており、また、添付図面に示す実施形態ではダクト１は断面略コ字状をしたダクト本体９に断面コ字状のカバー体１０を任意の係止手段１４により着脱自在に係止して取付けて構成してある。
【０００９】
複数のダクト１を接続するためのダクト接続部材２（すなわち配管・配線収容部材）は、配管や配線を収容することができるように略筒状をしており、ダクト１の端部をはめ込んで接続するための複数の接続部３を有している。添付図面に示す実施形態では図１（ａ）に示すように直筒状又は図１（ｂ）に示すようにＬ筒状をしていて両端部にそれぞれ接続部３を設けてある。ダクト接続部材２に設けた複数の接続部３は同じ断面形状をしており、この接続部３の縦横の長さは同じ長さとなっている。つまり、接続部３の内部の縦横の長さはそれぞれ前述のダクト１の断面形状の縦方向の長さＭ又は横方向の長さＮのうち長い方、つまり、実施形態ではダクト１の断面形状の横方向の長さＮと同じ長さとなっていて、いずれの接続部３にも、ダクト１を断面を縦向きにして嵌め込んでも、横向きにして嵌め込んでも接続できるようになっている。
【００１０】
Ｌ筒状又は直筒状をしたダクト接続部材２はダクト１と同じ材料により形成してあり、このダクト接続部材２は底面部２ａと天面部２ｂと一対の側面部２ｃ、２ｄとからなる角筒状をした４面を有する周壁部を有している。底面部２ａと一方の側面部２ｃとよりなる断面Ｌ字状をした後部材５と、天面部２ｂと他方の側面部２ｄとよりなる断面Ｌ字状をした前部材６とに２分割してある。ここで、後部材５と前部材６とよりなる４面を有する周壁部のうちの少なくとも１つ以上が取付け部７となっている。この場合、底面部２ａ、天面部２ｂ、側面部２ｃ、２ｄのうちのいずれか１つが取付け部７となっていてもよいが、好ましくは、２つ以上、それも、後部材５の底面部２ａと一方の側面部２ｃがそれぞれ壁面や天井面等の取付け基面１１への取付け部７となっていたり、あるいは、前部材６の天面部２ｂと他方の側面部２ｄとが取付け部７となっていたりするのが好ましく、また、後部材５の底面部２ａと一方の側面部２ｃ、前部材６の天面部２ｂと他方の側面部２ｄがそれぞれ取付け部７となっているものでもよい。２つ以上の面が取付け部７となっていると、後部材５又は前部材６の姿勢を変えることなく壁面、天井面という異なる面に自由に固着することができるものである。なお、以下の実施形態では後部材５の底面部２ａ、側面部２ｃを取付け部７とした例で説明しているが、必ずしもこれにのみ限定されないのはもちろんである。
【００１１】
後部材５と前部材６とに２分割されたダクト接続部材２は、後部材５の底面部２ａと前部材６の他方の側面部２ｄとのなす角部分及び後部材５の一方の側面部２ｃと前部材６の天面部２ｂとのなす角部分で任意の係止手段（図示せず）などの着脱手段により着脱自在に接続してある。係止手段としては例えばダクト１の場合と同様の係止手段が採用できるものである。
【００１２】
そして、壁面や天井面等の取付け基面１１に沿って配設するダクト１を接続する場合、上記の構成のダクト接続部材２により接続するのである。施工に当たっては、壁面や天井面等の取付け基面１１に後部材５の底面部２ａまたは側面部２ｃを当て、底面部２ａまたは側面部２ｃの取付け部７をビス等の固着具により取付け、ダクト１の底面部または側面部を壁面や天井面等の取付け基面１１に取付けるとともにダクト１の端部を図１０のように後部材５の端部内に嵌め込み、その後、壁面や天井面等の取付け基面１１に取付けている後部材５に前部材６を接続して取付けるものである。この場合、断面Ｌ字状をした後部材５の底面部２ａと断面Ｌ字状をした前部材６の他方の側面部２ｄとのなす角部分及び後部材５の一方の側面部２ｃと前部材６の天面部２ｂとのなす角部分で前部材６と後部材５とを着脱自在に接続するので、接続部が角部となって、図１３に示す従来例のようにダクト１と取付け基面１１との間から前部材の側面半部を差し込んで接続作業を行うものに比べて接続作業が簡単且つ確実に行えるものである。
【００１３】
また、ダクト接続部材２を構成する前部材６と後部材５との接続部分は角筒状をしたダクト接続部材２の対向する一対の角部分に存在することになり、従来のように側面部の略中央部に接続部が存在して施工した場合の正面の中央部や側面部の中央部に接続部が露出するものに比べて、接続部分が目立ちにくくて外観を損なうことがないようになっている。
【００１４】
なお、本発明において接続部が存在する角筒状のダクト接続部材２の対向する一対の角部分とは、本発明の効果が得られる範囲で角のみに限定されず角の近傍も含むものとする。
【００１５】
ところで、ダクト接続部材２に設けた複数の接続部３にはダクト１の断面が縦向き又は横向きのいずれの場合であっても共通のダクト接続部材２により接続することができることになる。したがって、図３に示すように、一方のダクト１を断面が縦向き、他方のダクト１を断面が横向きとなる関係で接続したり、あるいは、図４に示すように、両ダクト１の断面がいずれも縦向きの関係で接続したり、あるいは、図５に示すように、両ダクト１が断面がいずれも横向きの関係で接続したりすることができるものである。ここで、ダクト１の断面を縦向きにして接続したり、横向きにしたり接続するのは、例えば、ダクト１の断面略コ字状をしたダクト本体９の底面部を壁面や天井面等の取付け基面１１などに木ねじ等の固着具により固着する場合、ダクト１の断面の向きを選択して接続する必要があり、このため、ダクト本体９を上向き、下向き、右向き、左向きというようにダクト本体９の底面部を当接して取付けるための取付け基面１１に応じてダクト１の断面の向きが変わるものである。すなわち、図６（ａ）にはダクト１をダクト１の下側の取付け基面１１に取付ける場合を示し、図６（ｂ）にはダクト１をダクト１の上側の取付け基面１１に取付ける場合を示し、図６（ｃ）にはダクト１をダクト１の左側の取付け基面１１に取付ける場合を示し、図６（ｄ）にはダクト１をダクト１の右側の取付け基面１１に取付ける場合を示しており、このように、ダクト１の取付け方向によりダクト接続部材２の接続部３への接続状態が異なるものであるが、いずれの場合も接続部３に嵌め込んで接続することができるものである。
【００１６】
ここで、接続部３は上記のようにダクト１の断面が縦向き又は横向きのいずれの向きであっても接続可能な大きさに形成してあるので、接続部３にダクト１を嵌め込んだ場合に接続部３の内面とダクト１の外面との間に隙間８が生じるが、この隙間８には嵌合部材４が嵌め込まれる。嵌合部材４はダクト１やダクト接続部材２と同じ材料又はゴム等の弾性を有する材料により形成してあり、嵌合部材４は接続部３の内面とダクト１の外面との間に生じる隙間８にぴったりと嵌め込まれて該隙間８を密閉するようになっていて、内部にごみや虫等が入らないようになっている。ここで、添付図面に示す実施形態においては、接続部３にダクト１をはめ込んだ場合に接続部３の一内面とダクト１の一外面との間にのみ隙間８が形成されるように構成してあり、この隙間８はダクト１の断面を縦向き、横向きいずれの向きで接続部３に嵌め込んでも図６（ａ）（ｂ）（ｃ）（ｄ）に示すように全て同じ形状の隙間８が形成されるようになっており、したがって、図６（ａ）（ｂ）（ｃ）（ｄ）のいずれの場合でも同一形状の嵌合部材４を隙間８に嵌め込んで密閉できるものである。
【００１７】
なお、嵌合部材４としては図１に示すように隙間８に嵌め込んで隙間８を密閉するものにのみ限定されず、図１１に示すように、嵌合部材４を隙間８に嵌め込むことで密閉はしないがダクト１の接続部３への位置決めをするようなものでもよいものである。
【００１８】
図７には壁面や天井面等の取付け基面１１であるＡ面と、別の取付け基面１１となるＢ面とが直角となり、Ａ面に沿ってダクト１ａを配設し、Ｂ面に沿って別のダクト１ｂを配設すると共に該別のダクト１ｂを上記ダクト１ａに対して垂直方向及び水平方向の両方向においていずれも直角に配設する場合の例を示している。本実施形態ではＬ筒状をしたダクト接続部材２を用いてＡ面に沿わせて取付けるダクト１ａとＢ面に沿わせて取付けるダクト１ｂとを接続する例を示している。ここで、図８に示すようにダクト１ｂのダクト本体９の底面部をＡ面に沿わせて配設する場合にはダクト１ｂの断面の向きを変えてダクト接続部材２の接続部３に嵌め込んで接続するものである。
【００１９】
上記、図７、図８のいずれの場合においても、Ａ面からダクト１ｂの外側面までの距離Ｌを短くできて、少ないスペースで設置できるものである。
【００２０】
一方、Ａ面からダクト１ｂの外側面までの距離Ｌを長く取る必要がある場合には、図９に示すように、２個のダクト接続部材２を用い、１つのダクト接続部材２によりダクト１ａとダクト１ｃとを接続し、別の１つのダクト接続部材２によりダクト１ｂとダクト１ｃとを接続するものである。この場合、２つのダクト接続部材２は同じ形状のものを使用し、一方のダクト接続部材２は側片８をＡ面に当てて木ねじのような固着具により取付け、また、他方のダクト接続部材２のダクト本体８の底部をＢ面に当てて木ねじのような固着具により取付けるようになっている。
【００２１】
上記のようにしてダクト１をダクト接続部材２により接続するのであるが、ダクト１、ダクト接続部材２内にはエアコンの配管や配線等を通して該配管や配線をダクト１、ダクト接続部材２により保護するものである。
【００２２】
なお、上記実施形態においてはダクト１を断面略コ字状をしたダクト本体９に断面コ字状のカバー体１０を任意の係止手段１４により着脱自在に係止して取付けて構成した例を示したが、ダクト１を接続部材２と同様の構成、つまり、断面Ｌ字状をした後部材と、断面Ｌ字状をした前部材とに２分割して後部材の底面部と前部材の他方の側面部とのなす角部分及び後部材の一方の側面部と前部材の天面部とのなす角部分で前部材と後部材とを着脱自在に接続するような構成としてもよい。
【００２３】
【発明の効果】
上記のように本発明の請求項１記載の発明にあっては、断面の縦横の長さが異なるダクトの端部を嵌め込んで接続するための複数の接続部を有した略筒状をしたダクト接続部材であって、上記接続部の縦横の長さが同じ長さで且つ上記ダクトの断面の縦横の長さのうち長い方の長さと同じ長さとなっているので、ダクト接続部材に設けた複数の接続部に、断面の縦横の長さが異なるダクトを断面が縦向き又は横向きのいずれの場合であっても接続でき、また、上記複数の接続部を有する略筒状をしたダクト接続部材が、底面部と天面部と一対の側面部との４面からなり且つ４面のうちの少なくとも１つ以上の面が壁面や天井面等の取付け基面への取付け部となった周壁部を有し、該周壁部を底面部と一方の側面部とよりなる後部材と、天面部と他方の側面部とよりなる前部材とに２分割し、後部材の底面部と前部材の他方の側面部とのなす角部分及び後部材の一方の側面部と前部材の天面部とのなす角部分で前部材と後部材とを着脱自在に接続してあるので、前部材と後部材との接続部が正面の中央部あるいは側面の中央部ではなく、角部分に存在することになって目立ちにくくなって外観が良くなるものであり、また、周壁部を構成する４面のうちの少なくとも１つ以上の面を壁面や天井面等の取付け基面への取付け部としてあるので、取付け部を壁面や天井面等の取付け基面に当てて後部材又は前部材を取付け基面に取付けることができるものであり、この場合、前部材又は後部材が断面Ｌ字状をしているので、取付け基面に一片を取付ける際に他片に邪魔されることなく取付けることができるものであり、また、後部材又は前部材を取付け基面に取付けた状態において、後部材の底面部と前部材の他方の側面部とのなす角部分及び後部材の一方の側面部と前部材の天面部とのなす角部分で前部材と後部材とを着脱自在に接続して、簡単に接続することができ、接続作業が簡単且つ確実に行えるものである。
【図面の簡単な説明】
【図１】（ａ）（ｂ）はそれぞれ本発明のダクト接続部材の分解斜視図である。
【図２】同上に用いて接続するダクトの斜視図である。
【図３】同上のダクト接続部材でダクトを接続する状態を示す斜視図である。
【図４】同上のダクト接続部材でダクトを接続する状態を示す他の実施形態の斜視図である。
【図５】同上のダクト接続部材でダクトを接続する状態を示す他の実施形態の斜視図である。
【図６】（ａ）（ｂ）（ｃ）（ｄ）はそれぞれダクト接続部材とダクトとの接続の種々の形態を示す断面図である。
【図７】本発明の更に他のダクト接続部材でダクトを接続する状態を示す一実施形態の斜視図である。
【図８】同上のダクト接続部材でダクトを接続する状態を示す他の実施形態の斜視図である。
【図９】同上のダクト接続部材でダクトを接続する状態を示す他の実施形態の斜視図である。
【図１０】同上の後部材を取付け基面に取付けるとともに後部材にダクトの端部を嵌め込んだ状態で前部材を取付ける場合を示す説明図である。
【図１１】（ａ）（ｂ）はそれぞれ嵌合部材の他例を示すダクト接続部材部分の斜視図である。
【図１２】従来例を示す斜視図である。
【図１３】従来例において後部材を取付け基面に取付けるとともに後部材にダクトの端部を嵌め込んだ状態で前部材を取付ける場合を示す説明図である。
【符号の説明】
１  ダクト
２  ダクト接続部材
２ａ  底面部
２ｂ  天面部
２ｃ  側面部
２ｄ  側面部
５  後部材
６  前部材
【図１】
0003733814.tif 000002
【図２】
0003733814.tif 000003
【図３】
0003733814.tif 000004
【図４】
0003733814.tif 000005
【図５】
0003733814.tif 000006
【図６】
0003733814.tif 000007
【図７】
0003733814.tif 000008
【図８】
0003733814.tif 000009
【図９】
0003733814.tif 000010
【図１０】
0003733814.tif 000011
【図１１】
0003733814.tif 000012
【図１２】
0003733814.tif 000013
【図１３】
0003733814.tif 000014